【事件の表示】
　特願２０１２−１５６１３０「発光装置」拒絶査定不服審判事件〔平成２５年　７月１１日出願公開、特開２０１３−１３７４９８、請求項の数（８）〕について、次のとおり審決する。
【結　論】
　原査定を取り消す。
　本願の発明は、特許すべきものとする。
【理　由】
第１　手続の経緯
　本願は、平成２４年７月１２日（優先権主張平成２３年７月２２日、平成２３年１１月２９日）の出願であって、平成２７年６月１５日付けで手続補正がされ、平成２８年３月８日付けで拒絶理由通知がされ、同年４月１１日付けで手続補正がされ、同年９月７日付けで拒絶査定（以下、「原査定」という。）がされ、これに対し、同年１１月２５日に拒絶査定不服審判の請求がされると同時に手続補正がされたものである。
第２　原査定の概要
　原査定の概要は次のとおりである。
１．本願請求項１、２、５に係る発明は、下記の引用文献１に記載された発明であるから、特許法第２９条第１項第３号に該当し、特許を受けることができない。
２．本願請求項１、２、５に係る発明は、下記の引用文献１に基づいて、その発明の属する技術の分野における通常の知識を有する者（以下「当業者」という。）が容易に発明できたものであるから、特許法第２９条第２項の規定により、特許を受けることができない。
　また、本願請求項６、７に係る発明は、以下の引用文献１−３に基づいて、当業者が容易に発明できたものであるから、特許法第２９条第２項の規定により、特許を受けることができない。
　また、本願請求項８に係る発明は、以下の引用文献１−４に基づいて、当業者が容易に発明できたものであるから、特許法第２９条第２項の規定により、特許を受けることができない。
引用文献等一覧
　１．特開２００８−１７６２８７号公報
　２．特開２０１０−２２４０３３号公報
　３．特開２０１１−１１２７２４号公報
　４．特開２０１０−３９１１８号公報
第３　本願発明
　本願請求項１−８に係る発明（以下、それぞれ「本願発明１」−「本願発明８」という。）は、平成２８年１１月２５日付けの手続補正で補正された特許請求の範囲の請求項１−８に記載された事項により特定される発明であり、本願発明１は以下のとおりの発明である。
「【請求項１】
　第１のトランジスタと、第１のスイッチと、第２のスイッチと、第３のスイッチと、第４のスイッチと、容量素子と、発光素子とを有し、
　前記第１のスイッチの第１の端子は、第１の配線と電気的に接続され、
　前記第１のスイッチの第２の端子は、前記容量素子の第１の電極と電気的に接続され、
　前記第２のスイッチの第１の端子は、第２の配線と電気的に接続され、
　前記第２のスイッチの第２の端子は、前記第１のトランジスタの第１のゲートと電気的に接続され、
　前記第３のスイッチの第１の端子は、前記容量素子の第１の電極と電気的に接続され、
　前記第３のスイッチの第２の端子は、前記第１のトランジスタの第１のゲートと電気的に接続され、
　前記第４のスイッチの第１の端子は、前記第１のトランジスタのソース又はドレインの一方と電気的に接続され、
　前記第４のスイッチの第２の端子は、前記発光素子の第１の電極と電気的に接続され、
　前記容量素子の第２の電極は、前記第１のトランジスタのソース又はドレインの一方と電気的に接続され、
　前記発光素子の第１の電極または前記発光素子の第２の電極は、一方が陽極であり他方が陰極であり、
　前記第１のトランジスタのソース又はドレインの他方は、第３の配線に電気的に接続された発光装置であって、
　第１の期間を有し、
　前記第１の期間において、前記第１のスイッチが導通状態であり、前記第２のスイッチが導通状態であり、前記第３のスイッチが非導通状態であり、かつ、前記第４のスイッチが非導通状態であり、
　前記第１の期間において、前記第１のトランジスタの閾値電圧に応じた電圧が前記容量素子に与えられる発光装置。」
　
第４　引用文献、引用発明等
　原査定の拒絶の理由に引用された引用文献１には、図面とともに次の事項が記載されている。（下線は当審による。）
「【０１３９】
  （第五の実施形態）
  本発明の第五の実施形態における
有機ＥＬ素子を用いた発光表示デバイス
【０１４０】
  本実施形態による有機ＥＬディスプレイは、各画素１０に、
カソード端子がＧＮＤ（接地）線（以下、ＧＮＤ）に接続（接地）している有機ＥＬ素子（以下、ＯＬＥＤ）と、そのＯＬＥＤのアノード端子に接続される駆動回路１１とを備える
【０１４１】
  ＯＬＥＤは、アノード端子とカソード端子の間に、有機材料による発光層が挟まれた構造を有し、駆動回路１１から供給される電流に応じた輝度で発光する。
【０１４２】
  
駆動回路１１は、ＯＬＥＤを駆動し、かつゲート端子、ソース端子、ドレイン端子を有する駆動用トランジスタと、一端がＤ−ＴＦＴのソース端子に接続されている容量素子Ｃと、複数のスイッチ素子とを有する
【０１４３】
  
駆動用トランジスタは、ｎ型ＴＦＴ（以下、Ｄ−ＴＦＴ）で構成される。Ｄ−ＴＦＴは、ドレイン端子が電源線ＶＳと接続されている
【０１４４】
  容量素子Ｃと複数のスイッチ素子は、駆動回路１１がＯＬＥＤへ電流を供給する時に、Ｄ−ＴＦＴのゲート端子電圧を、ＯＬＥＤへの電流を供給する電圧と、Ｄ−ＴＦＴのしきい値電圧と、Ｄ−ＴＦＴのソース端子電圧を加えた電圧とする昇圧部を構成する。
【０１４５】
  
複数のスイッチ素子は、第一から第四のスイッチ素子を有する
【０１４６】
 
 第一のスイッチ素子は、ｎ型ＴＦＴ（以下、ＴＦＴ１）で構成される。ＴＦＴ１は、ソース／ドレイン端子の一端がＤ−ＴＦＴのドレイン端子と接続され、ソース／ドレイン端子の他端がＤ−ＴＦＴのゲート端子と接続されている
【０１４７】
  
第二のスイッチ素子は、ｎ型ＴＦＴ（以下、ＴＦＴ２）で構成される。ＴＦＴ２は、ソース／ドレイン端子の一端がＤ−ＴＦＴのゲート端子と接続され、ソース／ドレイン端子の他端が容量素子Ｃの他端（Ｄ−ＴＦＴのソース端子と接続されていない一端）と接続されている
【０１４８】
  
第三のスイッチ素子は、ｎ型ＴＦＴ（以下、ＴＦＴ３）で構成される。ＴＦＴ３は、ソース端子／ドレイン端子の一端がデータ線ＤＬに接続され、ソース端子／ドレイン端子の他端が容量素子Ｃの他端（Ｄ−ＴＦＴのソース端子と接続されていない一端）と接続されている
【０１４９】
  
第四のスイッチ素子は、ｎ型ＴＦＴ（以下、ＴＦＴ４）で構成される。ＴＦＴ４は、ソース端子／ドレイン端子の一端がＤ−ＴＦＴのソース端子に接続され、ソース端子／ドレイン端子の他端がＯＬＥＤのアノード端子と接続されている
【０１５０】
  有機ＥＬディスプレイは、さらにＧＮＤのほか、データ線ＤＬと、第一、第二の走査線ＳＬ１、ＳＬ２と、電源線ＶＳとを有する。
データ線ＤＬは、Ｄ−ＴＦＴからＯＬＥＤに供給する電流を制御する制御電圧ＶＤを供給する。電源線ＶＳは、電圧ＶＳ１を供給する
【０１５１】
  ここで、電源線ＶＳの電圧ＶＳ１は、ＯＬＥＤに電流を供給する際、Ｄ−ＴＦＴが飽和領域で動作する電圧とする。かつ、容量素子Ｃの容量値は、Ｄ−ＴＦＴに関するチャネル容量と、オーバーラップ容量などの寄生容量との和の３倍以上とする。
【０１５２】
  本実施形態のタイミングチャートを図１１に示し、以下にその動作を説明する。
【０１５３】
  まず、第一の走査線ＳＬ１の電圧信号ＳＶ１をＨレベル、第二の走査線ＳＬ２の電圧信号ＳＶ２をＬレベルとする。
この期間（以下、電圧書き込み期間）では、ＴＦＴ１、ＴＦＴ３がＯＮに、ＴＦＴ２、ＴＦＴ４がＯＦＦとなる
本期間において、
Ｄ−ＴＦＴのしきい値電圧をＶｔとすると
容量素子Ｃの両端には、電圧差ＶＤ−ＶＳ１＋Ｖｔが保持される
【０１５４】
  本実施形態では、電圧書き込み期間がＯＬＥＤに供給する電流を設定する電流設定期間となる。
【０１５５】
  この後、第一の走査線ＳＬ１の電圧信号ＳＶ１をＬレベル、第二の走査線ＳＬ２の電圧信号ＳＶ２をＨレベルとする。この期間（以下、発光期間）では、ＴＦＴ１、ＴＦＴ３がＯＦＦ、ＴＦＴ２、ＴＦＴ４がＯＮとなる。本期間において、Ｄ−ＴＦＴのゲート端子−ソース端子の電圧差は、Ｄ−ＴＦＴのソース端子の電圧が変動しても、チャージポンプ効果により、ＶＤ−ＶＳ１＋Ｖｔが保持される。」
　したがって、引用文献１には、次の発明（以下、「引用発明」という。）が記載されていると認められる。（なお、引用文献中の対応する記載の段落番号を括弧書きで示している。）
「有機ＥＬ素子を用いた発光表示デバイスであって（【０１３９】）、
　カソード端子が接地線ＧＮＤ線に接続している有機ＥＬ素子ＯＬＥＤと、有機ＥＬ素子ＯＬＥＤのアノード端子に接続される駆動回路１１とを備え（【０１４０】）、
　駆動回路１１は、有機ＥＬ素子ＯＬＥＤを駆動し、かつゲート端子、ソース端子、ドレイン端子を有する駆動用トランジスタＤ−ＴＦＴと、一端が駆動用トランジスタＤ−ＴＦＴのソース端子に接続されている容量素子Ｃと、複数のスイッチ素子とを有しており（【０１４２】、【０１４３】）、
　駆動用トランジスタＤ−ＴＦＴのドレイン端子は、電源線ＶＳと接続され（【０１４３】）、
　複数のスイッチ素子は、第一から第四のスイッチ素子を有し（【０１４５】）、
　第一のスイッチ素子ＴＦＴ１は、ソース／ドレイン端子の一端が駆動用トランジスタＤ−ＴＦＴのドレイン端子と接続され、ソース／ドレイン端子の他端が駆動用トランジスタＤ−ＴＦＴのゲート端子と接続され（【０１４６】）、
　第二のスイッチ素子ＴＦＴ２は、ソース／ドレイン端子の一端が駆動用トランジスタＤ−ＴＦＴのゲート端子と接続され、ソース／ドレイン端子の他端が容量素子Ｃの他端と接続され（【０１４７】）、
　第三のスイッチ素子ＴＦＴ３は、ソース端子／ドレイン端子の一端がデータ線ＤＬに接続され、ソース端子／ドレイン端子の他端が容量素子Ｃの他端と接続され（【０１４８】）、
　第四のスイッチ素子ＴＦＴ４は、ソース端子／ドレイン端子の一端が駆動用トランジスタＤ−ＴＦＴのソース端子に接続され、ソース端子／ドレイン端子の他端が有機ＥＬ素子ＯＬＥＤのアノード端子と接続され、（【０１４９】）、
　データ線ＤＬは、Ｄ−ＴＦＴからＯＬＥＤに供給する電流を制御する制御電圧ＶＤを供給し、電源線ＶＳは、電圧ＶＳ１を供給し（【０１５０】）、
　電圧書き込み期間では、第一のスイッチ素子ＴＦＴ１、第三のスイッチ素子ＴＦＴ３がＯＮに、第二のスイッチ素子ＴＦＴ２、第四のスイッチ素子ＴＦＴ４がＯＦＦとなり、本期間において、駆動用トランジスタＤ−ＴＦＴのしきい値電圧をＶｔとすると、容量素子Ｃの両端には、電圧差ＶＤ−ＶＳ１＋Ｖｔが保持される（【０１５３】）発光表示デバイス。」
第５　対比・判断
１　本願発明１について
（１）対比
　本願発明１と引用発明を対比すると、次のことがいえる。
ア　引用発明の「駆動用トランジスタＤ−ＴＦＴ」、「第三のスイッチ素子ＴＦＴ３」、「第一のスイッチ素子ＴＦＴ１」、「第二のスイッチ素子ＴＦＴ２」、「第四のスイッチ素子ＴＦＴ４」、「容量素子Ｃ」、「有機ＥＬ素子ＯＬＥＤ」及び「発光表示デバイス」は、それぞれ、本願発明１の「第１のトランジスタ」、「第１のスイッチ」、「第２のスイッチ」、「第３のスイッチ」、「第４のスイッチ」、「容量素子」、「発光素子」及び「発光装置」に相当する。
イ　引用発明は、「第三のスイッチ素子ＴＦＴ３は、ソース端子／ドレイン端子の一端がデータ線ＤＬに接続され、ソース端子／ドレイン端子の他端が容量素子Ｃの他端と接続され」たものであるところ、この「（第三のスイッチ素子ＴＦＴ３の）ソース端子／ドレイン端子の一端」、「データ線ＤＬ」、「（第三のスイッチ素子ＴＦＴ３の）ソース端子／ドレイン端子の他端」及び「容量素子Ｃの他端」は、それぞれ、本願発明１の「第１のスイッチの第１の端子」、「第１の配線」、「第１のスイッチの第２の端子」及び「容量素子の第１の電極」に相当するから、引用発明において「第三のスイッチ素子ＴＦＴ３は、ソース端子／ドレイン端子の一端がデータ線ＤＬに接続され、ソース端子／ドレイン端子の他端が容量素子Ｃの他端と接続され」ることは、本願発明１において「前記第１のスイッチの第１の端子は、第１の配線と電気的に接続され、前記第１のスイッチの第２の端子は、前記容量素子の第１の電極と電気的に接続され」ることに相当する。
ウ　引用発明は、「第一のスイッチ素子ＴＦＴ１は、ソース／ドレイン端子の一端が駆動用トランジスタＤ−ＴＦＴのドレイン端子と接続され、ソース／ドレイン端子の他端が駆動用トランジスタＤ−ＴＦＴのゲート端子と接続され」たものであるところ、この「（第一のスイッチ素子ＴＦＴ１の）ソース端子／ドレイン端子の他端」及び「駆動用トランジスタＤ−ＴＦＴのゲート端子」は、それぞれ、本願発明１の「第２のスイッチの第２の端子」及び「第１のトランジスタの第１のゲート」に相当するから、引用発明において「第一のスイッチ素子ＴＦＴ１は、ソース／ドレイン端子の一端が駆動用トランジスタＤ−ＴＦＴのドレイン端子と接続され、ソース／ドレイン端子の他端が駆動用トランジスタＤ−ＴＦＴのゲート端子と接続され」る点と、本願発明１において「前記第２のスイッチの第１の端子は、第２の配線と電気的に接続され、前記第２のスイッチの第２の端子は、前記第１のトランジスタの第１のゲートと電気的に接続され」る点とは、「前記第２のスイッチの第２の端子は、前記第１のトランジスタの第１のゲートと電気的に接続され」る点で共通する。
エ　引用発明は、「第二のスイッチ素子ＴＦＴ２は、ソース／ドレイン端子の一端が駆動用トランジスタＤ−ＴＦＴのゲート端子と接続され、ソース／ドレイン端子の他端が容量素子Ｃの他端と接続され」たものであるところ、この「（第二のスイッチ素子ＴＦＴ２の）ソース端子／ドレイン端子の一端」、「駆動用トランジスタＤ−ＴＦＴのゲート端子」、「（第二のスイッチ素子ＴＦＴ２の）ソース端子／ドレイン端子の他端」及び「容量素子Ｃの他端」は、それぞれ、本願発明１の「第３のスイッチの第２の端子」、「第１のトランジスタの第１のゲート」、「第３のスイッチの第１の端子」及び「容量素子の第１の電極」に相当するから、引用発明において「第二のスイッチ素子ＴＦＴ２は、ソース／ドレイン端子の一端が駆動用トランジスタＤ−ＴＦＴのゲート端子と接続され、ソース／ドレイン端子の他端が容量素子Ｃの他端と接続され」たことは、本願発明１において「前記第３のスイッチの第１の端子は、前記容量素子の第１の電極と電気的に接続され、前記第３のスイッチの第２の端子は、前記第１のトランジスタの第１のゲートと電気的に接続され」たことに相当する。
オ　引用発明は、「第四のスイッチ素子ＴＦＴ４は、ソース端子／ドレイン端子の一端が駆動用トランジスタＤ−ＴＦＴのソース端子に接続され、ソース端子／ドレイン端子の他端が有機ＥＬ素子ＯＬＥＤのアノード端子と接続され」たものであるところ、この「（第四のスイッチ素子ＴＦＴ４の）ソース端子／ドレイン端子の一端」、「駆動用トランジスタＤ−ＴＦＴのソース端子」、「（第四のスイッチ素子ＴＦＴ４の）ソース端子／ドレイン端子の他端」及び「有機ＥＬ素子ＯＬＥＤのアノード端子」は、それぞれ、本願発明１の「第４のスイッチの第１の端子」、「第１のトランジスタのソース又はドレインの一方」、「第４のスイッチの第２の端子」及び「発光素子の第１の電極」に相当するから、引用発明において「第四のスイッチ素子ＴＦＴ４は、ソース端子／ドレイン端子の一端が駆動用トランジスタＤ−ＴＦＴのソース端子に接続され、ソース端子／ドレイン端子の他端が有機ＥＬ素子ＯＬＥＤのアノード端子と接続され」たことは、本願発明１において「前記第４のスイッチの第１の端子は、前記第１のトランジスタのソース又はドレインの一方と電気的に接続され、前記第４のスイッチの第２の端子は、前記発光素子の第１の電極と電気的に接続され」たことに相当する。
カ　引用発明の「容量素子Ｃ」は、「一端が駆動用トランジスタＤ−ＴＦＴのソース端子に接続されている」ところ、この「（容量素子Ｃの）一端」及び「駆動用トランジスタＤ−ＴＦＴのソース端子」は、それぞれ、本願発明１の「容量素子の第２の電極」及び「第１のトランジスタのソース又はドレインの一方」に相当すると認められ、引用発明は、本願発明１と同様に「前記容量素子の第２の電極は、前記第１のトランジスタのソース又はドレインの一方と電気的に接続され」たものといえる。　
キ　引用発明において、「有機ＥＬ素子ＯＬＥＤ」が「カソード端子」及び「アノード端子」を有していることは、本願発明１において「前記発光素子の第１の電極または前記発光素子の第２の電極は、一方が陽極であり他方が陰極であ」ることに相当する。
ク　引用発明において、「駆動用トランジスタＤ−ＴＦＴのドレイン端子は、電源線ＶＳと接続され」ていることは、本願発明１において「前記第１のトランジスタのソース又はドレインの他方は、第３の配線に電気的に接続された」ことに相当する。
ケ　引用発明において、「電圧書き込み期間では、第一のスイッチ素子ＴＦＴ１、第三のスイッチ素子ＴＦＴ３がＯＮに、第二のスイッチ素子ＴＦＴ２、第四のスイッチ素子ＴＦＴ４がＯＦＦとな」ることは、本願発明１において「第１の期間を有し、前記第１の期間において、前記第１のスイッチが導通状態であり、前記第２のスイッチが導通状態であり、前記第３のスイッチが非導通状態であり、かつ、前記第４のスイッチが非導通状態であ」ることに相当する。
コ　引用発明は、「本期間（当審注：電圧書き込み期間）において、駆動用トランジスタＤ−ＴＦＴのしきい値電圧をＶｔとすると、容量素子Ｃの両端には、電圧差ＶＤ−ＶＳ１＋Ｖｔが保持される」ものであるところ、この「（駆動用トランジスタＤ−ＴＦＴのしきい値電圧）Ｖｔ」は、本願発明１の「第１のトランジスタの閾値電圧」に相当するから、引用発明において「本期間において、駆動用トランジスタＤ−ＴＦＴのしきい値電圧をＶｔとすると、容量素子Ｃの両端には、電圧差ＶＤ−ＶＳ１＋Ｖｔが保持される」ことは、本願発明１において「前記第１の期間において、前記第１のトランジスタの閾値電圧に応じた電圧が前記容量素子に与えられる」ことに相当する。
　　　
　したがって、本願発明１と引用発明との間には、次の一致点、相違点があるといえる。
（一致点）
「第１のトランジスタと、第１のスイッチと、第２のスイッチと、第３のスイッチと、第４のスイッチと、容量素子と、発光素子とを有し、
　前記第１のスイッチの第１の端子は、第１の配線と電気的に接続され、
　前記第１のスイッチの第２の端子は、前記容量素子の第１の電極と電気的に接続され、
　前記第２のスイッチの第２の端子は、前記第１のトランジスタの第１のゲートと電気的に接続され、
　前記第３のスイッチの第１の端子は、前記容量素子の第１の電極と電気的に接続され、
　前記第３のスイッチの第２の端子は、前記第１のトランジスタの第１のゲートと電気的に接続され、
　前記第４のスイッチの第１の端子は、前記第１のトランジスタのソース又はドレインの一方と電気的に接続され、
　前記第４のスイッチの第２の端子は、前記発光素子の第１の電極と電気的に接続され、
　前記容量素子の第２の電極は、前記第１のトランジスタのソース又はドレインの一方と電気的に接続され、
　前記発光素子の第１の電極または前記発光素子の第２の電極は、一方が陽極であり他方が陰極であり、
　前記第１のトランジスタのソース又はドレインの他方は、第３の配線に電気的に接続された発光装置であって、
　第１の期間を有し、
　前記第１の期間において、前記第１のスイッチが導通状態であり、前記第２のスイッチが導通状態であり、前記第３のスイッチが非導通状態であり、かつ、前記第４のスイッチが非導通状態であり、
　前記第１の期間において、前記第１のトランジスタの閾値電圧に応じた電圧が前記容量素子に与えられる発光装置。」
（相違点）
　本願発明１は、「前記第２のスイッチの第１の端子は、第２の配線と電気的に接続され」るという構成を備えるのに対し、引用発明では、「（本願発明１の第２のスイッチに相当する）第一のスイッチ素子ＴＦＴ１」の「ソース／ドレイン端子の一端」は、「（配線ではなく）駆動用トランジスタＤ−ＴＦＴのドレイン端子と接続され」ている点。
　
（２）相違点についての判断
ア　引用発明は、「第一のスイッチ素子ＴＦＴ１」の「ソース／ドレイン端子の一端」は、「駆動用トランジスタＤ−ＴＦＴのドレイン端子と接続され」ており、本願発明１における「前記第２のスイッチの第１の端子は、第２の配線と電気的に接続され」ているという構成に相当する構成を有していない。また該構成が周知技術であるとも認められない。
　したがって、本願発明１は、引用文献１に記載された発明とはいえない。
イ　上記相違点に関し、当業者が容易に想到できたかについて検討するに、引用文献１では、電源線ＶＳに、電圧書き込み期間において電圧ＶＳ２、発光期間において電圧ＶＳ１を供給するようにしており、電圧ＶＳ２を供給するための配線を電源線ＶＳと独立して設けることの記載や示唆はない。
　そして、本願発明１のごとく、電圧ＶＳ２を供給するための配線を電源線ＶＳと独立して設けることには、本願明細書の【００６０】に記載されるように、（本願発明１の第１のトランジスタに相当する）駆動用トランジスタＤ−ＴＦＴがノーマリオンである場合、すなわち閾値電圧がマイナスの値を有している場合にも、閾値電圧を加味した電圧を駆動用トランジスタＤ−ＴＦＴのゲートに設定でき、請求人が審判請求書で主張するように表示ムラの低減ができるという効果が認められるところ、引用文献１は、このような効果を示唆するものではない。
　また、引用文献２−４も、上記相違点に関連する事項を記載するものではない。
　したがって、本願発明１は、当業者であっても、引用文献１−４に基づいて容易に発明できたものとはいえない。
２　本願発明２−４について
　本願発明２−４も、本願発明１の「前記第２のスイッチの第１の端子は、第２の配線と電気的に接続され」るという構成を備えるものであるから、本願発明１と同じ理由により、当業者であっても、引用文献１ないし４に基づいて容易に発明できたものとはいえない。
３　本願発明５−８について
　本願発明５−８は、本願発明１−４のいずれかの発明特定事項を全て含むものであるから、本願発明１−４と同じ理由により、当業者であっても、引用文献１−４に基づいて容易に発明できたものとはいえない。
第６　原査定について
　以上のとおりであって、本願発明１，２，５は、拒絶査定において引用された引用文献１に記載されたものとはいえないから、原査定の理由１．を維持することはできない。
　また、本願発明１−８は、当業者であっても、拒絶査定において引用された引用文献１−４に基づいて、容易に発明できたものとはいえないから、原査定の理由２．を維持することはできない。
第７　むすび
　以上のとおり、原査定の理由によっては、本願を拒絶することはできない。
　また、他に本願を拒絶すべき理由を発見しない。
　よって、結論のとおり審決する。